(57)【特許請求の範囲】
【請求項１】
サーキット・ブレーカのスイッチング・プロセスの始動を遅延させる閉−開遅延回路を作動させる、電気機械式アクチュエータであって、
前記電気機械式アクチュエータ（１０）は、コントロール・ユニット（１２）と、ロック・ユニット（２０）と、タイマー・ユニット（１４）と、信号ユニット（１８）と、を有していて、これらのユニットは、互いに機械的に相互作用を行い、
前記コントロール・ユニット（１２）は、駆動ディスク（２２）を有していて、前記駆動ディスク（２２）は、電気的な駆動機構により作用を受け、且つ動作カム（２４）を備えており、前記動作カム（２４）は、前記駆動ディスク（２２）の周囲上に一体的に形成されており、
前記タイマー・ユニット（１４）は、フライホイール（２８）を有していて、前記フライホイールは、局所的なスロット式ガイド状の溝（３０）を備えており、
前記駆動ディスク（２２）は、前記局所的なスロット式ガイド状の溝において係合するために前記駆動ディスク（２２）の上に配置されたピン（２６）によって、前記フライホイール（２８）に作用を与え、前記フライホイール（２８）は、前記駆動ディスク（２２）と同じ軸に取り付けられており、
前記ロック・ユニット（２０）は、旋回可能なデテント（４０）により形成され、前記タイマー・ユニット（１４）の上に設けられたラッチング・デバイス（３６）と相互作用を行い、前記ロック・ユニット（２０）の役割は、前記タイマー・ユニット（１４）の前記フライホイール（２８）をロックするまたはロックを解除することであり、
前記フライホイール（２８）は、前記フライホイール（２８）の周囲上に、カム状の一体化された形状（３４）を備えていて、前記カム状の一体化された形状は、前記信号ユニット（１８）を作動させるために備えられており、
前記コントロール・ユニット（１２）は、前記電気的な駆動機構による回転刺激を受け、
前記ロックユニット（２０）の前記旋回可能なデテント（４０）が、前記タイマー・ユニット（１４）の前記ラッチング・デバイスから外れ、これが前記フライホイール（２８）の解放をもたらすように、前記動作カム（２４）は、前記駆動ディスクの予め定められた回転角度で前記ロック・ユニット（２０）に作用し、
前記ピン（２６）は、前記局所的なスロット式ガイド状の溝（３０）において係合し、前記フライホイール（２８）が適切な角度方向の位置にあるときに、前記駆動ディスク（２２）の回転刺激を伝送し、それにより、前記フライホイール（２８）に作用を与え、前記コントロール・ユニットが受けた前記回転刺激は、前記タイマー・ユニット（１４）と前記信号ユニット（１８）とに作用を与え、
前記信号ユニットは、次に、インターフェースを介して前記サーキット・ブレーカを始動させて、前記サーキット・ブレーカのスイッチング・プロセスを開始させる、電気機械式アクチュエータ。
【請求項２】
前記コントロール・ユニット（１２）及び前記タイマー・ユニット（１４）は、共通の回転軸上で互いに独立に回転することが可能であるように、ガイドされている、ことを特徴とする、請求項１に記載の電気機械式アクチュエータ。
【請求項３】
前記タイマー・ユニット（１４）は、エネルギー・ユニット（１６）からの作用を受ける、ことを特徴とする、請求項１に記載の電気機械式アクチュエータ。
【請求項４】
前記エネルギー・ユニット（１６）は、
前記フライホイール（２８）に対して作用するように接続されたバネ・デバイス（３３）の形態であって、
前記タイマー・ユニット（１４）の一部を形成する前記フライホイール（２８）に、回転方向に作用を与える、ことを特徴とする、請求項３に記載の電気機械式アクチュエータ。
【請求項５】
前記信号ユニット（１８）は、少なくとも一つのスイッチング要素（４８）を有し、
前記スイッチング要素（４８）は、常時閉接点（５６）の形態または常時開接点（５４）の形態であり、
これらの接点は、作動されるために、スイッチング・ロッド（４６）に結合され、
前記スイッチング・ロッドは、前記タイマー・ユニット（１４）により作用を受け、且つ、
前記信号ユニット（１８）には、サーキット・ブレーカを始動させるために使用されるインターフェースが設けられている、ことを特徴とする、請求項１に記載の電気機械式アクチュエータ。
【請求項６】
常時閉接点（５６）の形態または常時開接点（５４）の形態の、少なくとも一つのスイッチング要素（４８）のそれぞれは、前記タイマー・ユニット（１４）の前記フライホイール（２８）の前記カム状の一体化された形状が、前記スイッチング要素に作用を与えるとき、バネの動作に対抗するスイッチング位置を取るバネ接点により形成されている、ことを特徴とする、請求項５に記載の電気機械式アクチュエータ。
【発明の詳細な説明】
【技術分野】
【０００１】
本発明は、特に高電圧スイッチング・システムにおいて、サーキット・ブレーカの少なくとも一つのスイッチング接点を作動させるための、液圧機械式に蓄えられたエネルギーによるバネ機構に係る。この液圧機械式に蓄えられたエネルギーによるバネ機構は、液圧により作動されるＣＯ（閉−開）遅延回路を有していて、このＣＯ遅延回路が、サーキット・ブレーカのスイッチング・プロセスの始動を遅延させる。
【背景技術】
【０００２】
液圧機械式に蓄えられたエネルギーによるバネ機構が、好ましくは高電圧スイッチング・システムにおいて、スイッチング接点を作動させるために使用されることが、広く知られていて、この液圧機械式に蓄えられたエネルギーによるバネ機構には、一般的に、液圧により作動されるＣＯ（閉−開）遅延回路が更に設けられている。この遅延回路は、時間遅延を使用することが意図されていて、それにより、それぞれのスイッチング接点のコントロールされた開放、及び補助的な接触の可能性を確保することになる。
【０００３】
この種の液圧により作動されるＣＯ（閉−開）遅延回路が温度の影響を強く受け易いこともまた、広く知られている。即ち、それらは、狭い温度範囲内でのみ、それぞれの意図され、要求された一定の時間遅延を満足する。液圧機械式に蓄えられたエネルギーによるバネ機構により液圧により始動される、ＣＯ時間遅延回路の電流の発生は、狭い温度範囲内でのみ一定の時間遅延を有している。
【発明の概要】
【０００４】
この先行技術から出発して、本発明の目的は、導入部分に記載されたタイプのサーキット・ブレーカの、少なくとも一つのスイッチング接点を作動させるための、液圧機械式に蓄えられたエネルギーによるバネ機構のために、可能な限りシンプルなデザインで時間遅延の不変性の要求を満たす遅延デバイスを提供することにある。
【０００５】
本発明によれば、この目的は、請求項１の特徴部分により実現される。
【０００６】
前記特徴部分によれば、ＣＯ遅延回路の液圧による作動の代わりに、電気機械式アクチュエータが設けられ、この電気機械式アクチュエータは、機械的な時間遅延または加速を作り出す役割を有している。この場合に、この電気機械式アクチュエータは、当該電気機械式アクチュエータのコントロール・ユニットを作動させる電気的な駆動機構と機械的に係合する。
【０００７】
本発明に関係する優位性は、広い温度範囲に亘る一定の時間遅延または加速の中に、本質的に見出されることが可能である。
【０００８】
本発明の好ましい実施形態は、次のような特徴を有している：即ち、前記電気機械式アクチュエータが、コントロール・ユニット、タイマー・ユニット、及び信号ユニットを有していて、これらのユニットが互いに機械的に相互作用を行い、前記コントロール・ユニットは、入力始動変数として、前記電気的な駆動機構から回転刺激を受け、この回転刺激が、前記タイマー・ユニットを含む前記信号ユニットに作用を与え、前記信号ユニットが、次に、インターフェースを介してサーキット・ブレーカを作動させて、前記サーキット・ブレーカのスイッチング・プロセスを開始させる。
【０００９】
この場合において、好ましくは、回転刺激を作り出す前記電気的な駆動機構は、例えば４ｋｔシャフトを介して、インターロックされた状態で、前記電気機械式アクチュエータと係合する。
【００１０】
前記電気機械式アクチュエータの一部を形成するコントロール・ユニット及びタイマー・ユニットは、好ましくは、それらが共通の回転軸上で互いから独立して回転することが可能であるようにガイドされる。この場合に、前記コントロール・ユニットは、前記電気的な駆動機構からの作用を受ける駆動ディスクを有している。
【００１１】
この駆動ディスクにはまた、前記タイマー・ユニットの対応して遅延された作動の伝送のために、外側の輪郭が設けられ、この外側の輪郭が遅延を決定する。特に、動作カムが、前記駆動ディスクの周囲の上に一体的に形成され、この動作カムは、前記駆動ディスクの予め定められた回転角度でロック・ユニットを作動させる。
【００１２】
前記駆動ディスクにはまた、その平らな面にピン状のペグが設けられ、このピン状のペグは、前記タイマー・ユニットの中の溝の中に係合するために使用される。
【００１３】
上記のロック・ユニットは、前記コントロール・ユニットにより、または、前記コントロール・ユニットの上に配置された動作カムにより、作動されることが可能であって、このロック・ユニットは、本発明の一つの好ましい改良によれば、旋回可能なデテント（detent／戻り止め）により形成されることが可能であり、このデテントは、前記コントロール・ユニット、及び前記タイマー・ユニットの上に設けられたラッチング・デバイスの両者と相互作用を行う。
【００１４】
このデテントは、好ましくは、直角の立方体（rectangular cuboid）の形態であって、ロック・ユニットとして使用され、このデテントが旋回されることが可能であるピボット軸は、前記直角の立方体の一つのエッジに沿って配置され、前記直角の立方体の反対側のエッジには、ラッチング・エッジが設けられ、このラッチング・エッジは、先ず最初に、前記コントロール・ユニットの動作カムからの作用を受け、即ち、ラッチング方向に対して逆方向に持ち上げられ、そして、その次に、前記タイマー・ユニットの上に設けられているラッチング・デバイスと相互作用を行う。
【００１５】
本発明の更に好ましい改良によれば、前記タイマー・ユニットは、フライホイールを有していて、このフライホイールは、前記駆動ディスクと同じ軸に取り付けられ、且つ、局所的にスロット式ガイド状の溝が設けられている。このスロット式ガイド状の溝は、前記スロット式ガイド状の溝の中に係合するために、前記駆動ディスクの上に設けられたピン状のペグを受け、前記駆動ディスクの回転運動の伝送が確立され、その結果として、フライホイールが戻されることを確保する。
【００１６】
本発明に基づく電気機械式アクチュエータの更に好ましい実施形態によれば、前記タイマー・ユニットがエネルギー・ユニットからの作用を受けるように、準備措置が行われ、このエネルギー・ユニットは、好ましくは、バネ・デバイスの形態であって、このバネ・デバイスは、前記フライホイール（前記タイマー・ユニットの一部を形成する）に対して機能するように接続され、且つ前記フライホイールに回転方向に作用を与える。
【００１７】
更にまた、本発明の更なる改良によれば、前記タイマー・ユニットの一部を形成するフライホイールは、その周囲にカム状の一体化された形状が設けられ、このカム状の一体化された形状は、前記信号ユニットを作動させるために設けられている。
【００１８】
本発明の更に好ましい改良において、前記信号ユニットは、少なくとも一つのスイッチング要素を有していて、このスイッチング要素は、常時閉接点の形態または常時開接点の形態であり、これらの接点は、作動されるために、スイッチング・ロッドに結合され、このスイッチング・ロッドは、前記タイマー・ユニットからの作用を受ける。この場合に、前記信号ユニットには、好ましくは、サーキット・ブレーカを始動させるために使用されるインターフェースが設けられる。
【００１９】
本発明に基づく電気機械式アクチュエータの更に好ましい発展において、少なくとも一つのスイッチング要素（常時閉接点の形態または常時開接点の形態である）のそれぞれがバネ接点により形成されるように、準備措置が行われ、このバネ接点は、前記タイマー・ユニットのフライホイールのカム状の一体化された形状が、前記スイッチング要素に作用を与えるとき、バネの動作に対抗して、スイッチング位置を取る。この場合に、スイッチング接点の作動は、間接的であり、特にスイッチング・ロッドにより、間接的であり、このスイッチング・ロッドは、問題のスイッチング接点のタイプに依存して、特に、それが常時閉接点であるかまたは常時開接点であるかに依存して、接点を押し下げまたは引き上げて、それぞれ作動させまたは解放する。
【００２０】
換言すれば、前記スイッチング要素の中のスイッチング接点のそれぞれは、常時閉接点の形態または常時開接点の形態であることが可能であり、全てのスイッチング接点は、接点としてデザインされ、これらの接点は、それぞれバネにより負荷を加えられ、これらのバネは、スイッチング接点を意図されたスイッチング位置に移動させ、即ち、常時閉接点を開放位置に移動させ、また、常時開接点を閉鎖位置に移動させる。これらのスイッチング接点は、次に、上記のスイッチング・ロッドにより、それぞれ作動されまたは解放される。
【００２１】
本発明の更に改良において、前記信号ユニットのスイッチング要素が複数の接点を有するように、準備措置が行われることも可能である。この場合には、唯一つのスイッチング・ロッドが、スイッチング接点を作動させる目的のために、好ましくは、同様に設けられ、このスイッチング接点は、その場合、対応してスイッチング・ロッドの上に一体的に形成されたスイッチング・アームにより作動される。
【００２２】
本発明の、以上の及び更なる好ましい改良及び改良は、従属請求項の主題である。
【図面の簡単な説明】
【００２３】
【図１】図１は、電気機械式アクチュエータの本質的な機能的な要素の機能的な相互作用の概略図を示している。
【発明を実施するための形態】
【００２４】
以下において、本発明、本発明の好ましい改良及び改良、本発明の特異な優位性が、添付図面に示された、本発明の代表的な実施形態を参照しながら、より詳細に、説明され、記述される。
【００２５】
図１に、本発明に基づく電気機械式アクチュエータ１０の主要なコンポーネントの概略図を示す。このアクチェータは、電気的な駆動機構（ここでは詳細には示されていない）の駆動シャフト（同様に示されていない）により、要求に応じて作動される。主要なコンポーネントの輪郭または形状は、ここでは概略的に示されていて、それらの具体的なデザインに関して、異なっていても良い。
【００２６】
より良い理解の目的のために、主要なコンポーネントは、それらのそれぞれの機能を明確に示すために、互いから引き離されていて、高度にコンパクトな物理的デザインによる実際の配置とは異なっている。
【００２７】
電気機械式アクチュエータ１０の上記の主要なコンポーネントは、従って、コントロール・ユニット１２、タイマー・ユニット１４、エネルギー・ユニット１６、信号ユニット１８、及びロック・ユニット２０である。
【００２８】
コントロール・ユニット１２及びタイマー・ユニット１４は、共通の軸１３の上に互いに隣り合わせに配置され、原則として、互いに独立に、回転されることが可能である。参照符号１５．１及び１５．２は、共通の軸の、象徴的に示された支承点を示している。
【００２９】
コントロール・ユニット１２は、駆動ディスク２２を有していて、この駆動ディスクは、見る人から遠い方の側に、電気的な駆動機構（従ってここに示されていない）の寸法的に互換性のある駆動シャフト（同様に示されていない）ための、４ｋｔホルダー（同様にここに示されていない）が設けられている。
【００３０】
コントロール・ユニット１２または駆動ディスク２２には、回転刺激が与えられ、この回転刺激は、前記駆動機構によりまたは前記駆動機構の駆動シャフトにより、前記コントロール・ユニットまたは駆動ディスクの角度方向の運動をもたらし、この駆動シャフトは、コントロール・ユニット１２に接続されている。
【００３１】
駆動ディスク２２にはまた、その周囲に局所的に、一体化された形状が設けられ、この一体化された形状は、動作カム２４として、駆動ディスク２２に係合するロック・ユニット２０に作用を与えるように使用される。
【００３２】
ピン状のペグ２６はまた、コントロール・ユニット１２の駆動ディスク２２の平らな側（見る人の方に向いている）の上に配置され、前記ピン状のペグは、次に、タイマー・ユニット１４に作用を与えるように使用され、このタイマー・ユニットは、最終的に取り付けられた状態において、コントロール・ユニット１２と同一の軸の上に、且つ密接して配置されている。
【００３３】
この目的のために、タイマー・ユニット１４は、フライホイール２８を有していて、このフライホイールは、それが同一の軸の上で、即ち共通の軸１３の上で、回転することが可能であるように配置され、また、このフライホイールには、その軸方向の端面にスロット式ガイド状の溝３０が設けられている。上記のピン状のペグ２６は、前記スロット式ガイド状の溝３０の中に係合し、そして、フライホイール２８が適切な角度方向の位置にあるとき、駆動ディスク２２により捉えられる回転刺激を伝送し、それにより、フライホイール２８に作用を与える。
【００３４】
それに加えて、節点３２がフライホイール２８上に設けられ、エネルギー・ユニット１６（バネ・デバイス３３により形成され、且つここに示された図において時計回り方向にフライホイール２８に作用を与える）は、前記節点で関節式に連結される。
【００３５】
フライホイール２８にはまた、その外側の輪郭上に、局所的に一体化された形状及びラッチング・デバイス３６が設けられ、前記形状は、信号ユニット１８を作動させるためのスイッチング・カム３４として使用される。ラッチング・デバイス３６は、一連のラッチング・ノッチ３８により形成され、これらのノッチは、フライホイール２８の周囲の上に配置され、または、前記フライホイールの周囲に作られ、そして、これらのノッチの中にロック・ユニット２０が係合し、その結果として、フライホイール２８回転運動を妨げる。
【００３６】
ロック・ユニット２０は、ピボット・ブラケット４０により形成され、このピボット・ブラケットは、それが共通の回転軸１３から遠い方の外側のエッジに沿って配置されたピボット軸４２の周りで旋回することが可能であるように、取り付けられている。ピボット・ブラケット４０には、ピボット軸４２と反対側のその外側のエッジに、ラッチング・エッジ４４が設けられていて、前記ラッチング・エッジ４４の輪郭は、それがフライホイール３０の中のラッチング・ノッチ３８の輪郭に対応するように、デザインされている。
【００３７】
ロック・ユニット２０またはピボット・ブラケット４０はまた、コントロール・ユニットの駆動ディスク２２の上に一体的に形成された動作カム２４に、作用を与えるように接触し且つ接続され、また、このカムは、電気的な駆動機構（ここに示されていない）からの作用を受ける機能として、図１に示された位置でピボット・ブラケット４０から離れ、または、対応する回転のために、上向きに前記ピボット・ブラケットを旋回させる。
【００３８】
このピボッティング・プロセスのために、ピボット・ブラケット４０がラッチング装置３６から外れ、これがフライホイール２８の解放をもたらし、それにより、前記フライホイールがエネルギー・ユニット１６の力の効果に従う。結果として開始された、この回転運動の場合に、フライホイール２８の上に配置されたスイッチング・カム３４が、信号ユニット１８に到着して、スイッチング・ロッド４６に作用を与える。
【００３９】
スイッチング・ロッド４６は、スイッチング要素４８、またはこのスイッチング要素４８と関係する可動接触片５０，５２、を作動させるために使用され、スイッチング・カム３４により軸方向に作用を受け、その結果として、可動接触片５０，５２がそれぞれ入り切れされ、問題の接触点５４，５６を閉鎖しまたは開放する。
【００４０】
接触点５４，５６は、要求に応じて、常時開接点５４または常時閉接点５６の形態であって、両方の場合において、接点にはバネが設けられ、従って、これらのバネが問題の接点を閉鎖位置または開放位置に移動させる。
【００４１】
従って、作動された状態において、即ち、それらがスイッチング・ロッド４６からの作用を受けたときに、回路がその中で閉鎖されるバネ接点が、常時開接点５４の場合に使用される。フライホイール２８の回転のために、従って、スイッチング・カム３４とスイッチング・ロッド４６との間に作り出される付随する空間的な距離のために、回路が開放される。その理由は、その上昇運動がスイッチング・カム３４により最早制限されないので、バネ接点のバネが、接触点から可動接触片５４を持ち上げるからである。このようにして到達されたスイッチング状態において、バネ接点は、作動されない。
【００４２】
バネ接点は、同様に、常時閉接点の中でも使用される。この場合、スイッチング・カム３４からの作用を受けるスイッチング・ロッド４６による作動の場合に、可動接触片５６のバネに予備ストレスが与えられて、回路が開放される。
【００４３】
回路は、フライホイール２８の回転のために、従って、スイッチング・カム３４とスイッチング・ロッド４６との間に作り出される付随する空間的な距離のために閉鎖される。その理由は、その上昇運動がスイッチング・カム３４により最早制限されないので、バネ接点のバネが、接触点の固定接点の方向へ可動接触片５４を移動させるからである。バネ接点は、このようにして到達されたスイッチング状態において、作動されない。
【００４４】
本発明に基づく電気機械式アクチュエータ１０の、遅延デバイスとしての働きが、以下において説明される。
【００４５】
電気機械式アクチュエータ１０は、機械的な時間遅延または加速を作り出す役割を有している。電気機械式アクチュエータ１０は、コントロール・ユニット１２上の電気的な駆動機構へのインターフェースを形成する機械的なタップによりコントロールされる。駆動ディスク２２には、コントロール・ユニット１２が設けられている。
【００４６】
この駆動ディスク２２は、特定の外側の輪郭及び駆動ピン２６を有している。ラッチ（ロック・ユニット２０）は、駆動ディスク２２の輪郭により動かされ、前記ラッチの役割は、そのラッチング手段３８を使用して、フライホイール２８（タイマー・ユニット１４）をロックしまたはロックを解除することにある。
【００４７】
駆動ディスク２２の駆動ピン２６は、内側の輪郭により、隣接するフライホイール２８を移動させる機能を有していて、その結果として、エネルギー・ユニット１６のバネ・デバイス３３に伸びを与える。フライホイール２８は、このバネ・デバイス３３により駆動される。
【００４８】
スイッチング要素４８（信号ユニット１８）は、フライホイール２８の外側の輪郭の上でガイドされる。これらのスイッチング要素４８は、フライホイール２８の位置に依存して、開放状態または閉鎖状態に保たれ、それにより、サーキット・ブレーカに、インターフェースに、信号を伝送する。要求された時間遅延または加速は、フライホイール２８のロックが外されることにより作り出され、信号がスイッチング要素４８により与えられる。
以下に、本願出願時の特許請求の範囲に記載された発明を付記する。
[１]特に高電圧スイッチング・システムの中で、サーキット・ブレーカの少なくとも一つのスイッチング接点を作動させるための、液圧機械式に蓄えられたエネルギーによるバネ機構であって、
この液圧機械式に蓄えられたエネルギーによるバネ機構は、液圧により作動されるＣＯ（閉−開）遅延回路を有していて、このＣＯ遅延回路が、サーキット・ブレーカのスイッチング・プロセスの始動を遅延させる、
エネルギーによるバネ機構において、
電気機械式アクチュエータ（１０）が、前記ＣＯ遅延回路の液圧による作動の代わりに、設けられていること、
を特徴とする液圧機械式に蓄えられたエネルギーによるバネ機構。
[２]下記特徴を有する前記［１］に記載の液圧機械式に蓄えられたエネルギーによるバネ機構、
前記電気機械式アクチュエータ（１０）は、コントロール・ユニット（１２）と、タイマー・ユニット（１４）と、信号ユニット（１８）と、を有していて、これらのユニットは、互いに機械的に相互作用を行い、
前記コントロール・ユニット（１２）は、入力始動変数として、回転刺激を受け、
この回転刺激が、前記タイマー・ユニット（１４）を含む前記信号ユニット（１８）に作用を与え、
前記信号ユニットは、次に、インターフェースを介して前記サーキット・ブレーカを始動させて、前記サーキット・ブレーカのスイッチング・プロセスを開始させる。
[３]下記特徴を有する前記［１］または［２］に記載の液圧機械式に蓄えられたエネルギーによるバネ機構、
前記電気機械式アクチュエータ（１０）の一部を構成する前記コントロール・ユニット（１２）及び前記タイマー・ユニット（１４）は、共通の回転軸上で互いに独立に回転することが可能であるように、ガイドされている。
[４]下記特徴を有する前記［１］から［３］の何れか１つに記載の液圧機械式に蓄えられたエネルギーによるバネ機構、
前記コントロール・ユニット（１２）は、前記タイマー・ユニットの、対応して遅延された作動を伝送するための駆動ディスク（２２）を有していて、
この駆動ディスクは、電気的な駆動機構により作用を受け、且つ遅延を決定する外側の輪郭（２４）が設けられている。
[５]下記特徴を有する前記［１］から［４］の何れか１つに記載の液圧機械式に蓄えられたエネルギーによるバネ機構、
前記タイマー・ユニット（１４）は、フライホイール（２８）を有していて、このフライホイールに、局所的なスロット式ガイド状の溝（３０）が設けられている。
[６]下記特徴を有する前記［１］から［５］の何れか１つに記載の液圧機械式に蓄えられたエネルギーによるバネ機構、
前記駆動ディスク（２２）は、この駆動ディスクの上に配置されたピン（２６）により、前記フライホイール（２８）に作用を与え、
前記フライホイールは、前記駆動ディスク（２２）と同じ軸に取り付けられている。
[７]下記特徴を有する前記［６］に記載の液圧機械式に蓄えられたエネルギーによるバネ機構、
前記タイマー・ユニットの前記フライホイール（２８）は、前記コントロール・ユニット（１２）の前記駆動ディスク（２２）により、前記駆動ディスク（２２）の上に配置された前記ピン（２６）を介して作動され、
このピンは、前記フライホイール（２８）の上に設けられた前記スロット式ガイド状の溝（３０）に係合し、その結果として、前記フライホイール（２８）に作用を与える。
[８]下記特徴を有する前記［１］から［７］の何れか１つに記載の液圧機械式に蓄えられたエネルギーによるバネ機構、
ロック・ユニット（２０）が、設けられ、
このロック・ユニットは、前記コントロール・ユニット（１２）により作動されることが可能であり、且つ、
このロック・ユニットは、前記タイマー・ユニット（１４）の上に設けられたラッチング・デバイス（３６）と相互作用を行う。
[９]下記特徴を有する前記［８］に記載の液圧機械式に蓄えられたエネルギーによるバネ機構、
前記ロック・ユニット（２０）は、旋回可能なデテント（４０）により形成され、
このデテントは、前記コントロール・ユニット（１２）、及び、前記タイマー・ユニット（１４）の上に設けられた前記ラッチング・デバイス（３６）の両者と相互作用を行う。
[１０]下記特徴を有する前記［１］から［９］の何れか１つに記載の液圧機械式に蓄えられたエネルギーによるバネ機構、
前記タイマー・ユニット（１４）は、エネルギー・ユニット（１６）からの作用を受ける。
[１１]下記特徴を有する前記［１０］に記載の液圧機械式に蓄えられたエネルギーによるバネ機構、
前記エネルギー・ユニット（１６）は、前記フライホイール（２８）に対して機能するように接続されたバネ・デバイス（３３）の形態であって、前記タイマー・ユニット（１４）の一部を形成する前記フライホイールに、回転方向に作用を与える。
[１２]下記特徴を有する前記［１］から［１１］の何れか１つに記載の液圧機械式に蓄えられたエネルギーによるバネ機構、
前記タイマー・ユニット（１４）の一部を形成する前記フライホイール（２８）には、その周囲に、カム状の一体化された形状（３４）が設けられ、
このカム状の一体化された形状は、前記信号ユニット（１８）を作動させるために設けられている。
[１３]下記特徴を有する前記［１］から［１２］の何れか１つに記載の液圧機械式に蓄えられたエネルギーによるバネ機構、
前記信号ユニット（１８）は、少なくとも一つのスイッチング要素（４８）を有し、
このスイッチング要素は、常時閉接点（５６）の形態または常時開接点（５４）の形態であり、これらの接点は、作動されるために、スイッチング・ロッド（４６）に結合され、
前記スイッチング・ロッドは、前記タイマー・ユニット（１４）により作用を受け、且つ、
前記信号ユニット（１８）には、サーキット・ブレーカを始動させるために使用されるインターフェースが設けられている。
[１４]下記特徴を有する前記［１３］に記載の液圧機械式に蓄えられたエネルギーによるバネ機構、
常時閉接点（５６）の形態または常時開接点（５４）の形態の、少なくとも一つのスイッチング要素（４８）のそれぞれは、前記タイマー・ユニット（１４）の前記フライホイール（２８）の前記カム状の一体化された形状が、前記スイッチング要素に作用を与えるとき、バネの動作に対抗するスイッチング位置を取るバネ接点により形成されている。
【符号の説明】
【００４９】
１０・・・電気機械式アクチュエータ、１２・・・コントロール・ユニット、１３・・・軸、回転軸、１４・・・タイマー・ユニット１５．１・・・支承点、１５．２・・・支承点、１６・・・エネルギー・ユニット、１８・・・信号ユニット、２０・・・ロック・ユニット、２２・・・駆動ディスク、２４・・・動作カム、２６・・・ピン状のペグ、２８・・・フライホイール、３０・・・スロット式ガイド状の溝、３２・・・節点、３３・・・バネ・デバイス、３４・・・スイッチング・カム、３６・・・ラッチング・デバイス、３８・・・ラッチング・ノッチ、４０・・・ピボット・ブラケット、４２・・・ピボット軸、４４・・・ラッチング・エッジ、４６・・・スイッチング・ロッド、４８・・・スイッチング要素、５０・・・可動接触片、５２・・・可動接触片、５４・・・常時開接点、５６・・・常時閉接点。
【図１】
0005559327.tif 000002